【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
（ａ）頂部表面（４４）を有する中間領域（２９）；
（ｂ）前記中間領域（２９）に第１の近位側部分（３６）で連絡しており、該中間領域（２９）からベルトの移動方向（３５）に第１の遠位側部分（４１）へ延びる複数の第１の連結端部（３２）であって、各第１の連結端部（３２）は第１の横方向厚み部（３４）を有する第１の連結端部（３２）を提供する対向する側壁（３３）をそれぞれ有しており、前記対向する側壁（３３）どうしの間で横方向厚み部（３４）を通る第１のピボット・ホール（６８）をそれぞれ有している複数の第１の連結端部（３２）；並びに
（ｃ）前記中間領域（２９）に第２の近位側部分（４５）で連絡しており、該中間領域（２９）から第１の連結端部（３２）とは反対方向に第２の遠位側部分（４８）へ延びる複数の第２の連結端部（３８）であって、各第２の連結端部（３８）は第２の横方向厚み部（４９）を有する第２の連結端部（３８）を提供する対向する側壁（４３）をそれぞれ有しており、前記対向する側壁（４３）どうしの間で横方向厚み部（４９）を通る第２のピボット・ホール（７１）をそれぞれ有している複数の第２の連結端部（３８）；を有してなるベルト・モジュール（２３、２６）であって、
前記第２の連結端部（３８）は第１の連結端部（３２）と相補的に配置（offset）されて、１つのベルト・モジュール（２６）における各第１の連結端部（３２）どうしが、隣接するベルト・モジュール（２３）における各第２の連結端部（３８）どうしの間に規定されるスペースの中に嵌り合うことによって、隣接して配置されるベルト・モジュール（２３、２６）どうしを連結することができること、
第１のピボット・ホール（６８）は、頂部表面（４４）に対して実質的に平行に配置された第１の壁部（２０３）及び前記第１の壁部（２０３）に対して第１の鋭角（θ）をなして配置された第２の壁部（２０９）を有して形成され、前記第１の壁部（２０３）及び第２の壁部（２０９）は前記第１のピボット・ホール（６８）の対向する端部に配置された第１及び第２の湾曲した壁部（２１５、２１８）によって互いに連絡されていること、
第２のピボット・ホール（７１）は頂部表面（４４）に対して実質的に平行に配置された第３の壁部及び前記第３の壁部に対して第２の鋭角（θ）をなして配置された第４の壁部を有して形成され、前記第３の壁部及び第４の壁部は前記第２のピボット・ホール（７１）の対向する端部に配置された第３及び第４の湾曲した壁部によって互いに連絡されており、前記第１の鋭角（θ）及び第２の鋭角（θ）は鏡映的（reflective）であること、
前記第１のピボット・ホール（６８）及び第２のピボット・ホール（７１）は第２の湾曲した壁部（２１８）に隣接して配置されるロッド受け部（７２）を有しており、前記第１及び第２のピボット・ホール（６８、７１）はロッド受け部（７２）から第１の湾曲した壁部（２１５）の方へロッド受け部（７２）から遠ざかる向きに狭くなることを特徴とするベルト・モジュール（２３、２６）。
【請求項２】
中間領域（２９）には硬化ウェブ（６５）が設けられていることを特徴とする請求項１に記載のベルト・モジュール（２３、２６）。
【請求項３】
ベルト・モジュール（２３、２６）において、頂部表面（４４）とは反対の側に硬化ウェブ（６５）が設けられていることを特徴とする請求項２に記載のベルト・モジュール（２３、２６）。
【請求項４】
第１及び第２の鋭角（θ）は約３０°である請求項１〜３のいずれかに記載のベルト・モジュール（２３、２６）。
【請求項５】
第１のピボット・ホール（６８）及び第２のピボット・ホール（７１）は頂部表面（４４）に対して鋭角に設けられていることを特徴とする請求項１〜４のいずれかに記載のベルト・モジュール（２３、２６）。
【請求項６】
第１のピボット・ホール（６８）及び第２のピボット・ホール（７１）は円錐形状に近い長円形の形状を有することを特徴とする請求項１〜５のいずれかに記載のベルト・モジュール（２３、２６）。
【請求項７】
第１のピボット・ホール（６８）と第２のピボット・ホール（７１）とはオーバーラップしており、隣接するモジュール（２３、２６）どうしを連結させた場合に、第１のピボット・ホール（６８）及び第２のピボット・ホール（７１）のそれぞれの実質的に丸い部分（７２）が互いに位置合わせされて配置されることを特徴とする請求項１〜６のいずれかに記載のベルト・モジュール（２３、２６）。
【請求項８】
（ａ）頂部表面（４４）を有する中間領域（２９）、前記中間領域（２９）に第１の近位側部分（３６）で連絡しており、該中間領域（２９）から第１の遠位側部分（４１）へベルトの移動方向（３５）に延びる複数の第１の連結端部（３２）であって、各第１の連結端部（３２）は第１の横方向厚み部（３４）を有する第１の連結端部（３２）を提供する対向する側壁（３３）をそれぞれ有しており、前記対向する側壁（３３）どうしの間で横方向厚み部（３４）を通る第１のピボット・ホール（６８）をそれぞれ有している複数の第１の連結端部（３２）；及び前記中間領域（２９）に第２の近位側部分（４５）で連絡しており、該中間領域（２９）から第２の遠位側部分（４８）へ第１の連結端部（３２）とは反対方向に延びる複数の第２の連結端部（３８）であって、各第２の連結端部（３８）は第２の横方向厚み部（４９）を有する第２の連結端部（３８）を提供する対向する側壁（４３）をそれぞれ有しており、前記対向する側壁（４３）どうしの間で横方向厚み部（４９）を通る第２のピボット・ホール（７１）をそれぞれ有している複数の第２の連結端部（３８）を有してなる複数のベルト・モジュール（２３、２６）であって；
前記第２の連結端部（３８）は第１の連結端部（３２）と相補的に配置（offset）されて、１つのベルト・モジュール（２６）における各第１の連結端部（３２）どうしが、隣接するベルト・モジュール（２３）における各第２の連結端部（３８）どうしの間に規定されるスペースの中に嵌り合うことによって、隣接して配置されるベルト・モジュール（２３、２６）どうしを連結することができる複数のベルト・モジュール（２３、２６）；並びに
（ｂ）隣接するベルト・モジュール（２３、２６）における第１及び第２の連結端部（３２、３８）の第１のピボット・ホール（６８）及び第２のピボット・ホール（７１）を通って配置されるピボット・ロッド（８０）
を有してなるモジュール式ベルト（２０）であって、
第１のピボット・ホール（６８）は、頂部表面（４４）に対して実質的に平行に配置された第１の壁部（２０３）及び前記第１の壁部（２０３）に対して第１の鋭角（θ）をなして配置された第２の壁部（２０９）を有して形成され、前記第１の壁部（２０３）及び第２の壁部（２０９）は前記第１のピボット・ホール（６８）の対向する端部に配置された第１及び第２の湾曲した壁部（２１５、２１８）によって互いに連絡されていること、
第２のピボット・ホール（７１）は頂部表面（４４）に対して実質的に平行に配置された第３の壁部及び前記第３の壁部に対して第２の鋭角（θ）をなして配置された第４の壁部を有して形成され、前記第３の壁部及び第４の壁部は前記第２のピボット・ホール（７１）の対向する端部に配置された第３及び第４の湾曲した壁部によって互いに連絡されており、前記第１の鋭角（θ）及び第２の鋭角（θ）は鏡映的（reflective）であること、
前記第１のピボット・ホール（６８）及び第２のピボット・ホール（７１）は第２の湾曲した壁部（２１８）に隣接して配置されるロッド受け部（７２）を有しており、前記第１及び第２のピボット・ホール（６８、７１）はロッド受け部（７２）から第１の湾曲した壁部（２１５）の方へロッド受け部（７２）から遠ざかる向きに狭くなることを特徴とするモジュール式ベルト（２０）。
【請求項９】
中間領域（２９）には硬化ウェブ（６５）が設けられていることを特徴とする請求項８に記載のモジュール式ベルト（２０）。
【請求項１０】
ベルト・モジュール（２３、２６）において、頂部表面（４４）とは反対の側に硬化ウェブ（６５）が設けられていることを特徴とする請求項９に記載のモジュール式ベルト（２０）。
【請求項１１】
第１及び第２の鋭角（θ）は約３０°である請求項８〜１０のいずれかに記載のモジュール式ベルト（２０）。
【請求項１２】
第１のピボット・ホール（６８）及び第２のピボット・ホール（７１）は長く設けられている請求項８〜１１のいずれかに記載のモジュール式ベルト（２０）。
【請求項１３】
第１のピボット・ホール（６８）及び第２のピボット・ホール（７１）は頂部表面（４４）に対して鋭角に設けられていることを特徴とする請求項８〜１２のいずれかに記載のモジュール式ベルト（２０）。
【請求項１４】
第１のピボット・ホール（６８）及び第２のピボット・ホール（７１）は円錐形状に近い長円形の形状を有することを特徴とする請求項８〜１３のいずれかに記載のモジュール式ベルト（２０）。
【請求項１５】
第１のピボット・ホール（６８）と第２のピボット・ホール（７１）とはオーバーラップしており、隣接するモジュール（２３、２６）どうしを連結させた場合に、第１のピボット・ホール（６８）及び第２のピボット・ホール（７１）のそれぞれの実質的に丸い部分（７２）が互いに位置合わせされて配置されることを特徴とする請求項８〜１４のいずれかに記載のモジュール式ベルト（２０）。
【請求項１６】
複数のモジュール（２３、２６）がレンガ積みの様式で配置されることを特徴とする請求項８〜１５のいずれかに記載のモジュール式ベルト（２０）。